【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
動画の撮影開始後の経過時間を計測する計測手段と、
撮影された複数の動画を取得し、該複数の動画から構成される一組の動画を作成する組動画作成手段と、
一組の動画を構成する前記複数の動画のそれぞれに対応した表示である複数の区画を連続して互いに隣り合うように表示し、さらに前記複数の動画のうち撮影済みの動画に対応する区画を第１の表示態様で表示し、前記複数の動画のうち未撮影の動画に対応する区画を第２の表示態様で表示するように制御する表示制御手段であって、
撮影中の動画に対応した表示である区画において、予め設定された撮影時間に対する、前記計測手段により計測された経過時間の割合を示す部分を前記第１の表示態様で表示し、該区間のうち残りの部分を前記第２の表示態様で表示するように制御する表示制御手段とを有することを特徴とする表示制御装置。
【請求項２】
前記表示制御手段は、前記動画の撮影中には、前記撮影時間より短い所定期間が経過する度に、前記区画における前記撮影時間に応じて決定された長さ分の表示態様を前記第２の表示態様から前記第１の表示態様に切替えるように制御することを特徴とする請求項１に記載の表示制御装置。
【請求項３】
前記複数の区画は、前記複数の動画の撮影される順番に、各動画に対応した表示である区画が互いに隣り合うように連続して表示されることを特徴とする請求項１または２に記載の表示制御装置。
【請求項４】
前記一組の動画を構成する複数の動画のうち、少なくとも１つの動画は他の動画と予め設定される撮影時間が異なることを特徴とする請求項１乃至３の何れか１項に記載の表示制御装置。
【請求項５】
前記複数の区画のうち各区画において対応する動画の撮影中に前記第１の表示態様で表示される部分から前記第２の表示態様で表示される部分へ向かう方向に沿う辺の長さは、前記複数の区画において等しいことを特徴とする請求項４に記載の表示制御装置。
【請求項６】
前記表示制御手段は、動画の撮影を行っていないときには、前記複数の区画よりも小さいサイズの前記複数の動画それぞれに対応した表示である複数の小区画を連続して互いに隣り合うように表示し、前記複数の小区画のうち撮影済みの動画に対応する小区画を第１の表示態様で表示し、前記複数の小区画のうち未撮影の動画に対応する小区画を第２の表示態様で表示するように制御することを特徴とする請求項１乃至５の何れか１項に記載の表示制御装置。
【請求項７】
少なくとも第一の撮影モードと、予め撮影時間を設定して撮影を行う第二の撮影モードとから撮影モードを選択するモード選択手段とをさらに有し、
前記表示制御手段は、前記第一の撮影モードの動画撮影中には、前記計測手段により計測された経過時間を表示し、前記第二の撮影モードの動画撮影中には、前記計測手段により計測された動画の撮影開始後の経過時間を表示せずに、前記撮影中の動画に対応した表示である区画において、予め設定された撮影時間に対する経過時間の割合を表示するように制御することを特徴とする請求項１乃至６の何れか１項に記載の表示制御装置。
【請求項８】
前記モード選択手段により、前記第一のモードが選択された場合に、第一の操作に応じて開始された第一の動画の撮影中に、前記第一の操作に応じて前記第一の動画の撮影を終了し、前記第二のモードが設定された場合に、前記第一の操作に応じて開始された第二の動画の撮影中に、前記第一の操作に応じては前記第二の動画の撮影を終了せずに、ユーザからの操作がなくても動画の撮影を停止するように制御する制御手段とを有することを特徴とする請求項７に記載の表示制御装置。
【請求項９】
少なくとも第一の撮影モードと前記一組の動画に含まれる動画を撮影するモードであって、前記第一の撮影モードとは異なる所定の効果をかける動画を撮影する第二の撮影モードのいずれかに選択するモード選択手段と、
前記モード選択手段により、前記第一のモードに設定された場合に、第一の操作に応じて開始された第一の動画の撮影中に、前記第一の操作に応じて前記第一の動画の撮影を終了し、前記第二のモードに設定された場合に、前記第一の操作に応じて開始された第二の動画の撮影中に、前記第一の操作に応じては前記第二の動画の撮影を終了せずに、ユーザからの操作がなくても動画の撮影を停止するように制御する制御手段とを有することを特徴とする請求項１乃至６の何れか１項に記載の表示制御装置。
【請求項１０】
前記計測手段により、前記動画の撮影開始から前記予め設定された撮影時間が経過したことが計測されたことに応じて、前記動画の撮影を停止する停止手段をさらに有することを特徴とする請求項１乃至９の何れか１項に記載の表示制御装置。
【請求項１１】
前記第１の表示態様を示す表示色と、前記第２の表示態様を示す表示色は異なることを特徴とする請求項１乃至１０の何れか１項に記載の表示制御装置。
【請求項１２】
撮影中の動画に対応した表示である区画のうち、前記第１の表示態様で表示される部分から前記第２の表示態様で表示される部分へ向かう方向に沿う方向で、前記複数の動画の撮影される順番に、各動画に対応した表示である区画が互いに隣り合うように前記複数の区画が一列に表示され、前記一列のうち撮影中の動画に対応した表示である区画において予め設定された撮影時間に対する経過時間の割合を示す位置から左側の部分および該区画から左側にある区画は前記第１の表示態様で示され、該位置から右側の部分および該区画から右側にある区画は前記第２の表示態様で示されることを特徴とする請求項１乃至１１の何れか１項に記載の表示制御装置。
【請求項１３】
前記一組の動画に含まれる複数の動画を連結して１つの動画ファイルとして記録する記録制御手段をさらに有することを特徴とする請求項１乃至１２の何れか１項に記載の表示制御装置。
【請求項１４】
前記一組の動画に含まれる複数の動画を、それぞれ異なる動画ファイルとして同一の組情報と共に記録する記録制御手段をさらに有することを特徴とする請求項１乃至１２の何れか１項に記載の表示制御装置。
【請求項１５】
撮像手段をさらに有し、
前記組動画作成手段は、前記撮像手段により撮像された複数の動画から一組の動画を作成することを特徴とする請求項１乃至１４の何れか１項に記載の表示制御装置。
【請求項１６】
動画の撮影開始後の経過時間を計測する計測手段と、
異なる撮影指示により取得された複数の動画から構成される一組の動画を作成する組動画作成手段と、
前記一組の動画に含まれる複数の動画のうち撮影済みの動画に対応する区画を第１の表示態様で表示し、前記区画が前記一組の動画に含まれる順番に連続して互いに隣り合うように表示するように制御する表示制御手段であって、
前記一組の動画に含まれる第１の動画が撮影済みである場合に、撮影済みの前記第１の動画に対応する前記第１の表示態様の区画と隣り合う、前記第２の動画の区画に対応する第２の表示態様の部分において、前記一組の動画のうち、前記第１の動画の後の順番の第２の動画の撮影が開始された後、前記第２の動画の記録が終了するまでは、前記計測手段により計測された経過時間を示す領域を前記第１の表示態様で表示し、前記第２の動画の区画に対応する部分の残りの領域を前記第２の表示態様で表示するように制御する表示制御手段とを有することを特徴とする表示制御装置。
【請求項１７】
動画の撮影開始後の経過時間を計測する計測ステップと、
撮影された複数の動画を取得し、該複数の動画から構成される一組の動画を作成する組動画作成ステップと、
一組の動画を構成する前記複数の動画のそれぞれに対応した表示である複数の区画を連続して互いに隣り合うように表示し、さらに前記複数の動画のうち撮影済みの動画に対応する区画を第１の表示態様で表示し、前記複数の動画のうち未撮影の動画に対応する区画を第２の表示態様で表示するように制御する表示制御ステップであって、
撮影中の動画に対応した表示である区画において、予め設定された撮影時間に対する、前記計測ステップにおいて計測された経過時間の割合を示す部分を前記第１の表示態様で表示し、該区間のうち残りの部分を前記第２の表示態様で表示するように制御する表示制御ステップとを有することを特徴とする表示制御装置の制御方法。
【請求項１８】
動画の撮影開始後の経過時間を計測する計測ステップと、
異なる撮影指示により取得された複数の動画から構成される一組の動画を作成する組動画作成ステップと、
前記一組の動画に含まれる複数の動画のうち撮影済みの動画に対応する区画を第１の表示態様で表示し、前記区画が前記一組の動画に含まれる順番に連続して互いに隣り合うように表示するように制御する表示制御ステップであって、
前記一組の動画に含まれる第１の動画が撮影済みである場合に、撮影済みの前記第１の動画に対応する前記第１の表示態様の区画と隣り合う、前記第２の動画の区画に対応する第２の表示態様の部分において、前記一組の動画のうち、前記第１の動画の後の順番の第２の動画の撮影が開始された後、前記第２の動画の記録が終了するまでは、計測された経過時間を示す領域を前記第１の表示態様で表示し、前記第２の動画の区画に対応する部分の残りの領域を前記第２の表示態様で表示するように制御する表示制御ステップとを有することを特徴とする表示制御装置の制御方法。
【請求項１９】
コンピュータを、請求項１乃至１６のいずれか１項に記載された表示制御装置の各手段として機能させるためのプログラム。
【請求項２０】
コンピュータを、請求項１乃至１６のいずれか１項に記載された表示制御装置の各手段として機能させるためのプログラムを格納したコンピュータが読み取り可能な記憶媒体。